(57)【要約】【課題】用途に応じ一体型または分割にて多様な設置が可能な分割可能型排気装置および分割可能型排気装置の使用方法を提供する。【解決手段】吸気ユニット２とフィルタユニット３とが分割可能に接続され、フィルタユニット３と送風機ユニット４とが分割可能に接続されているので、用途に応じ一体型または分割にて多様な設置が可能となり、汎用性が高まる。また、吸気ユニット２をフィルタユニット３から分割して、当該フィルタユニット３と送風機ユニット４とからなる排気ユニット１Ａを構成し、当該排気ユニット１Ａを既設の装置３０に取り付けて使用することができる。【選択図】図２
2015197276.tif 000002
【特許請求の範囲】
【請求項１】
吸気口を備えた吸気ユニットと、フィルタを備えたフィルタユニットと、送風機と排気口を備えた送風機ユニットとを備え、
前記吸気ユニットとフィルタユニットとが分割可能に接続され、前記フィルタユニットと前記送風機ユニットとが分割可能に接続されていることを特徴とする分割可能型排気装置。
【請求項２】
請求項１に記載の分割可能型排気装置の使用方法であって、
前記吸気ユニットを前記フィルタユニットから分割して、当該フィルタユニットと前記送風機ユニットとからなる排気ユニットを構成し、
当該排気ユニットを既設の装置に取り付けて使用することを特徴とする分割可能型排気装置の使用方法。
【発明の詳細な説明】
【技術分野】
【０００１】
本発明は、局所排気が必要な設備や機器に使用される分割可能型排気装置および分割可能型排気装置の使用方法に関する。
【背景技術】
【０００２】
製薬工場、研究所等において高生理活性剤等を取り扱う場合、作業者への曝露防止、周囲環境への飛散防止が重要であり、フィルタを搭載した排気装置を用いて、室内もしくは室外へ排気を行うようにしている。
排気装置は、排気フード、フィルタ、送風機等で構成される内蔵型と非内蔵型（別置き型）とがあり、設置室のスペースや配置条件により装置に要求される形状や寸法は様々である。
このような排気装置の一例として特許文献１に記載のものが知られている。この排気装置は、箱体の内部に、ファン（送風機）を配した陽圧室及び隣接する陰圧室、フィルタ室を設けるとともに、フィルタ室の前方の前壁（箱体の前面を構成する前壁）に吸気口を設け、この吸気口から汚染された外気を吸引し、箱体の後面を構成する後壁に設けられた排気口から排気するようになっている。前記箱体内のフィルタ室にはＨＥＰＡフィルタ等のフィルタを設け、このフィルタによって、前記吸気口から吸引された外気から有害粒子等を除去し、排気口から排気している。
【先行技術文献】
【特許文献】
【０００３】
【特許文献１】特開２０１１−１４３３８５号公報
【発明の概要】
【発明が解決しようとする課題】
【０００４】
ところで、前記従来の排気装置は、吸気口、フィルタ、送風機、排気口等が箱体に一体的に設けられている。このため、当該排気装置を排気フードの天井や背面等に組込み一体型とする場合や、ダクトを接続し別置きとする等、用途に応じ個々に製作されているため、汎用性に乏しく、その向上が望まれていた。
【０００５】
本発明は、前記事情に鑑みてなされたもので、用途に応じ一体型または分割にて多様な設置が可能な分割可能型排気装置および分割可能型排気装置の使用方法を提供することを目的としている。
【課題を解決するための手段】
【０００６】
前記目的を達成するために、本発明の分割可能型排気装置は、吸気口を備えた吸気ユニットと、フィルタを備えたフィルタユニットと、送風機と排気口を備えた送風機ユニットとを備え、
前記吸気ユニットとフィルタユニットとが分割可能に接続され、前記フィルタユニットと前記送風機ユニットとが分割可能に接続されていることを特徴とする。
【０００７】
本発明においては、分割可能型排気装置を用途に応じて、吸気ユニットとフィルタユニットとを備えたもの、フィルタユニットと送風機ユニットとを備えたもの、吸気ユニットとフィルタユニットと送風機ユニットとを備えたものとして使用できる。したがって、用途に応じ一体型または分割にて多様な設置が可能となり、汎用性が高まる。
【０００８】
また、本発明の分割可能型排気装置の使用方法は、前記分割可能型排気装置の使用方法であって、
前記吸気ユニットを前記フィルタユニットから分割して、当該フィルタユニットと前記送風機ユニットとからなる排気ユニットを構成し、
当該排気ユニットを既設の装置に取り付けて使用することを特徴とする。
【０００９】
この分割可能型排気装置の使用方法によれば、フィルタユニットと送風機ユニットとからなる排気ユニットを構成し、当該排気ユニットを既設の装置に取り付けて使用するので、例えば、局所排気が必要な設備や機器等の装置に容易に使用できる。
【発明の効果】
【００１０】
本発明によれば、吸気ユニットとフィルタユニットとが分割可能に接続され、フィルタユニットと送風機ユニットとが分割可能に接続されているので、用途に応じ一体型または分割にて多様な設置が可能となり、汎用性が高まる。
【図面の簡単な説明】
【００１１】
【図１】本発明の分割可能型排気装置の一例を示すもので、その側面図である。
【図２】同、分割した状態の分割可能型排気装置を示す側面図である。
【図３】同、分解斜視図である。
【図４】本発明に係る分割可能型排気装置の使用例を示しもので、排気ユニットを既設の装置の上部に設置した状態の概略構成を示す斜視図である。
【図５】本発明に係る分割可能型排気装置の使用例を示しもので、排気ユニットを既設の装置の背部に設置した状態の概略構成を示す斜視図である。
【発明を実施するための形態】
【００１２】
以下、図面を参照して本発明の実施の形態について説明する。
図１〜図３は本発明に係る分割可能型排気装置の一例を示すものであり、図１はその側面図、図２は分割した状態の分割可能型排気装置を示す側面図、図３は分割可能型排気装置の分解斜視図である。
なお、分解斜視図には、フィルタ部、送風機等の図示を省略している。
図１〜図３に示すように、本実施の形態の分割可能型排気装置１は、吸気ユニット２と、フィルタユニット３と、送風機ユニット４とを備えている。
【００１３】
吸気ユニット２は、箱体５と、この箱体５の内部に設けられた吸込みケース６とを備えている。
箱体５は、略矩形箱状となっているが、その前面上部は、斜め上方を向く傾斜面となっている。箱体５の前面下部には矩形状の開口５ａが設けられており、この開口５ａは矩形状の化粧パネル７によって閉塞されている。この化粧パネル７は、ねじ等によって箱体５の前面下部に着脱可能となっている。
また、箱体の傾斜している前面上部には、矩形状の開口５ｂが設けられており、この開口５ｂは矩形状の化粧パネル８によって閉塞されている。また、この化粧パネル８の中央部には円形の孔８ａが形成されている。この化粧パネル８は、ねじ等によって箱体５の前面上部に着脱可能となっている。また、箱体５の背面には、矩形状の開口５ｃが設けられている。
さらに、箱体５の背面には、前記フィルタユニット３の前面に接続するための接続面９，９が前記開口５ｃを左右に挟むようにして設けられており、この接続面９の上下端部に貫通孔９ａ，９ａが形成されている。
【００１４】
吸込みケース６は、略矩形箱状となっているが、その前面上部は斜め上方を向く傾斜面となっている。この傾斜面に円筒状の吸気口６ａが設けられ、この吸気口６ａの先端部は前記化粧パネル８の孔８ａに挿通され、箱体５の前面上部の傾斜面から突出している。吸込みケース６の背面は開口しており、この開口は前記箱体５の背面の開口５ｃに接続されている。
したがって、吸気口６ａから吸入された空気は吸込みケース６に入り、この吸込みケース６の背面の開口から箱体５の背面の開口５ｃを通って前記フィルタユニット３に導入されるようになっている。
【００１５】
前記フィルタユニット３は、箱体１０と、この箱体１０の内部に設けられたフィルタ部１１とを備えている。なお、図３においてはフィルタ部１１の図示を省略している。
箱体１０は矩形箱状となっており、その前面には矩形状の開口１０ａが設けられ、背面には矩形状の開口１０ｂが設けられている。また、箱体１０の一方の側面には矩形状の開口１０ｃが設けられている。この開口１０ｃが設けられた側面には略長円状の筒部１２ａを備えた縦長矩形状のバッグインバッグアウトボード１２が設けられており、筒部１２ａの基端部はバッグインバッグアウトボード１２の裏面に開口している。このバッグインバッグアウトボード１２は化粧板１３によって閉塞されるようになっている。化粧板１３はねじ１４によってバッグインバッグアウトボード１２に取り付けられ、化粧板１３を取り外すことによって、箱体１０内に筒部１２ａ内を通してアクセス可能となっている。
また、筒部１２ａにはビニール袋１２ｂの開口部１２ｃが被せられ、二本のＯリング１２ｄ，１２ｄによって開口部１２ｃを筒部１２ａの外周面に固定できるようになっている。また、ビニール袋１２ｂには外側から手を挿入可能は手袋部１２ｅ，１２ｅが設けられている。したがって、箱体１０内に筒部１２ａ内を通してアクセスする場合、この手袋部１２ｅ，１２ｅに手を挿入して行うことになる。なお、予めビニール袋１２ｂが筒部１２ａに取り付けられたうえで、バッグインバッグアウトボード１２が化粧板１３によって閉塞される。
【００１６】
箱体１０の前面には、前記吸気ユニット２の背面の接続面９，９に接続するための接続面１５，１５が前記開口１０ａを左右に挟むようにして設けられており、この接続面１５の上下端部にナット部１５ａ，１５ａが設けられている。ナット部１５ａは前記貫通孔９ａと対向して配置されている。また、ナット部１５ａの表面は接続面１５と面一か接続面１５に対して若干窪んでいる。
【００１７】
そして、吸気ユニット２の背面の接続面９，９とフィルタユニット３の前面の接続面１５，１５を互いに当接したうえで、貫通孔９ａにねじ１６を挿通し、当該ねじ１６をナット部１５ａに螺合して締め付けることによって、吸気ユニット２とフィルタユニット３とが接続されている。また、ねじ１６を緩めてナット部１５ａから外すことによって、吸気ユニット２とフィルタユニット３とが分割可能となる。このように、吸気ユニット２とフィルタユニット３とが分割可能に接続されている。
また、フィルタユニット３の箱体１０の背面には、前記送風機ユニット４の前面に接続するための接続面１７，１７が前記開口１０ｂを左右に挟むようにして設けられており、この接続面１７の上下端部にナット部１７ａ，１７ａが設けられている。また、ナット部１７ａの表面は接続面１７と面一か接続面１７に対して若干窪んでいる。
【００１８】
前記フィルタ部１１は、図１および図２に示すように、フィルタ枠１１ａと、このフィルタ枠１１ａに固定されているフィルタろ材１１ｂとを備えている。
このフィルタろ材１１ｂとしては、ＨＥＰＡフィルタが主に使用されるが、ＵＬＰＡフィルタや中性能フィルタも使用される。このようなフィルタ部１１は、フィルタ枠１１ａを図示しない固定手段によって、箱体１０の内部に設けられた矩形枠状の固定板１０ｄ（図３参照）に押し付けて固定することによって、箱体１０の内部に設けられている。
したがって、フィルタ部１１は固定手段を緩めることによって、箱体１０の内部から前記孔１２ａを通して外部に取り出せるようになっている。
フィルタ部１１を交換等する場合、まず、バッグインバッグアウトボード１２から化粧板１３を取り外す。バッグインバッグアウトボード１２の筒部１２ａには、予めビニール袋１２ｂの開口部１２ｃが被せられて二本のＯリング１２ｄ，１２ｄで固定されているので、次に、ビニール袋１２ｂの手袋部１２ｅ，１２ｅに手を挿入してフィルタ部１１を取り出し、新たなフィルタろ材１１ｂを取り付けたフィルタ部を再び手袋部１２ｅ，１２ｅに挿入した手によって、箱体１０の内部に取り付ければよい。このようにすることで、汚染されたフィルタ部１１によって作業者が曝露されることなく、フィルタ部１１の交換作業や有害粒子が付着したフィルタろ材１１ｂの廃棄作業を行うことができる。
なお、箱体１０の上部には、フィルタろ材１１ｂの集塵効率を測定するためのポート１８，１８が設けられている。
【００１９】
前記送風機ユニット４は、箱体２０と、この箱体２０の内部に設けられた送風機２１とを備えている。
箱体２０は矩形箱状となっており、その前面には矩形状の開口２０ａが設けられ、背面には矩形状の開口２０ｂが設けられている。この開口２０ｂが排気口２０ｂとなっている。また、箱体２０の背面には多数の貫通孔を有するパンチング板（整流板）２０ｃが取り付けられており、このパンチング板（整流板）２０ｃを通して排気を行うようになっている。
箱体２０の前面には、前記フィルタユニット３の背面の接続面１７，１７に接続するための接続面２２，２２が前記開口２０ａを左右に挟むようにして設けられており、この接続面２２の上下端部に貫通孔２２ａ，２２ａが設けられている。貫通孔２２ａは前記ナット部１７ａと対向して配置されている。
【００２０】
そして、フィルタユニット３の背面の接続面１７，１７と送風機ユニット４の前面の接続面２２，２２を互いに当接したうえで、送風機ユニット４の背面側から貫通孔２２ａにねじ１６を挿通し、当該ねじ１６をナット部１７ａに螺合して締め付けることによって、フィルタユニット３と送風機ユニット４とが接続されている。また、ねじ１６を緩めてナット部１７ａから外すことによって、フィルタユニット３と送風機ユニット４とが分割可能となる。このように、フィルタユニット３と送風機ユニット４とが分割可能に接続されている。
【００２１】
前記送風機２１は矩形板状の取付板２３に取り付けられており、この取付板２３を箱体２０の内部に設けられたフレーム２４に固定することによって、当該箱体２０の内部に送風機２１が固定されている。送風機２１は、モータ２１ａと、このモータ２１ａの回転軸に取り付けられた複数枚の羽根２１ｂとを備えている。
そして、モータ２１ａによって羽根２１ｂを回転させることで、空気を前面の開口２０ａから吸込み、背面の開口２０ｂから排出するようになっている。
【００２２】
したがって、吸気ユニット２と、フィルタユニット３と、送風機ユニット４とを備えた分割可能型排気装置１では、送風機２１を起動させて羽根２１ｂをモータ２１ａに回転させることによって、外部の空気を吸気ユニット２の吸気口６ａから吸込み、フィルタユニット３のフィルタ部１１によって、吸い込んだ空気から有害粒子等を除去し、送風機ユニット４の背面の開口（排気口）２０ｂから有害粒子等が除去された空気を排気するようになっている。
なお、図１および図２に示すように、送風機ユニット４の上部には、送風機２１を操作するための操作パネル２５が設けられている。
【００２３】
本実施の形態の分割可能型排気装置１によれば、吸気ユニット２と、フィルタユニット３と、送風機ユニット４とを備えた一体型の排気装置１として使用できる他、吸気ユニット２とフィルタユニット３とが分割可能に接続され、フィルタユニット３と送風機ユニット４とが分割可能に接続されているので、用途に応じて、吸気ユニット２とフィルタユニット３とを備えたもの、フィルタユニット３と送風機ユニット４とを備えたもの（例えば後述する排気ユニット１Ａ）として使用できる。したがって、用途に応じ一体型または分割にて多様な設置が可能となり、汎用性が高まる。
【００２４】
また、図４および図５に示すように、吸気ユニット２をフィルタユニット３から分割して、当該フィルタユニット３と送風機ユニット４とからなる排気ユニット１Ａを構成し、当該排気ユニット１Ａを既設の装置３０に取り付けて使用することもできる。
例えば、フィルタユニット３と送風機ユニット４とを備えた排気ユニット１Ａを、図４に示すように、既設の装置３０に垂直に取り付けることができ、また図５に示すように、既設の装置３０に水平に取り付けることもできる。
【００２５】
図４に示すように、垂直に取り付ける場合、フィルタユニット３と送風機ユニット４とからなる排気ユニット１Ａを、装置３０の上面に送風機ユニット４が上側に位置するようにして設置し、フィルタユニット３の前記接続面１５（図３参照）を、装置３０の上面のフレームにねじによって固定すればよい。
また、図５に示すように、水平に取り付ける場合、フィルタユニット３と送風機ユニット４とからなる排気ユニット１Ａを、装置３０の側面に送風機ユニット４が外側に位置するようにして設置し、フィルタユニット３の接続面１５を装置３０の側面のフレームにねじによって固定すればよい。
【符号の説明】
【００２６】
１  分割可能型排気装置
１Ａ  排気ユニット
２  吸気ユニット
３  フィルタユニット
４  送風機ユニット
６ａ  吸気口
２０ｂ  開口（排気口）
３０  既設の装置 
【図１】
2015197276.tif 000003
【図２】
2015197276.tif 000004
【図３】
2015197276.tif 000005
【図４】
2015197276.tif 000006
【図５】
2015197276.tif 000007